(57)【要約】【課題】  オートアライメント後の測定前に操作者が非検眼の状態を確認することのできる眼科装置を提供する。【解決手段】  オートアライメント後に、操作者が被検眼の状態を確認するために所定時間の待機状態を設けることを特徴とする。【選択図】  図１
2005176971.tif 000002
【特許請求の範囲】
【請求項１】
被検眼に対し、測定または撮影ユニットの光軸を、自動的に上下、左右、前後にアライメント及び左右眼の切り替えを行う自動アライメント手段を備え、アライメント完了時に、被検眼の状態を確認するための待機状態となり、所定時間が経過したら、自動的に測定または撮影を行うことを特徴とする眼科装置。
【請求項２】
請求項１の装置で、アライメント完了後の待機状態であることを知らせる、待機状態提示手段を持つことを特徴とする眼科装置。
【請求項３】
請求項１、及び請求項２の装置で、アライメント完了後、待機状態を解除し、自動的に測定または撮影を行うための待機状態解除手段を持つことを特徴とする眼科装置。
【請求項４】
請求項１、請求項２、及び請求項３の装置で、待機中にアライメントの基準位置を補正する、アライメント位置補正手段を持つことを特徴とする眼科装置。
【請求項５】
請求項２の装置で、待機状態提示手段は自動測定または撮影するまでの時間を表示することを特徴とする眼科装置。
【請求項６】
請求項３の装置で、待機状態解除手段を被検眼付近に設けたことを特徴とする眼科装置。
【請求項７】
請求項２の装置で、待機状態提示手段を被検眼付近に設けたことを特徴とする眼科装置。
【発明の詳細な説明】
【技術分野】
【０００１】
本発明は、眼科、眼鏡店等で使用される眼科装置に関するものである。
【背景技術】
【０００２】
被検眼角膜の輝点像をもとに被検眼へのオートアライメントを行い、その後被検眼屈折力を測定し、さらに左右眼の切り替えを自動で行い同様に逆の眼を自動測定する眼屈折力測定装置が知られている。
【特許文献１】特開２００２−１８６５８６
【発明の開示】
【発明が解決しようとする課題】
【０００３】
しかしながら上述の従来例のフルオートアライメントの眼屈折力測定装置で、被検眼にオートアライメント直後に、被検眼の状態を確認せずに自動的に測定を行うと、瞼やまつ毛で測定が不良となる場合があった。
【０００４】
本発明の目的は、上述の課題を解決し、オートアライメント後の測定前に操作者が非検眼の状態を確認することのできる眼科装置を提供することにある。
【課題を解決するための手段】
【０００５】
上記目的を達成するための本発明に係る眼科装置は、オートアライメント後に、操作者が被検眼の状態を確認するために所定時間の待機状態を設けることを特徴とする。
【発明の効果】
【０００６】
以上説明したように本発明に係る眼科検査装置は、フルオートアライメントの眼科装置で、被検眼にオートアライメント直後の測定前に、操作者が被検眼の状態を確認するための、所定時間の待機状態を設けることにより、測定や撮影を確実に行うことができる。
【発明を実施するための最良の形態】
【０００７】
本発明の第１の実施例を図示の形態に基づいて詳細に説明する。
【０００８】
図１は眼科検査装置の光学系、及び電気系の構成図である。被検眼Ｅに対向する光路Ｏ１上には、ダイクロイックミラー１、眼屈折力測定用対物レンズ２、孔あきミラー３、投影絞り４、投影レンズ５、指標板６、近赤外光を発する眼屈折力測定光源７を順次に配列し、眼屈折力測定用対物レンズ２から眼屈折力測定光源７により眼屈折力測定光投影系を構成する。ダイクロイックミラー１の反射方向には、前眼部観察用対物レンズ８、ダイクロイックミラー９、ミラー１０を配列し、光路Ｏ２上に図示を省略している被検眼Ｅを固視するための固指標投影系を配置する。
【０００９】
ダイクロイックミラー９の反射方向の光路Ｏ３上には、図２に示すようにくさびプリズム１１ａ、１１ｂをそれぞれ接着した開口部１２ａ、１２ｂ、１２ｃを有し光路Ｏ３から挿脱可能な３孔絞り板１２、結像レンズ１３、被検眼Ｅの前眼部付近と略共役な位置にＣＣＤカメラなどの撮像素子１４を配置する。
【００１０】
また、孔あきミラー３の反射方向の光路Ｏ４上には、光軸外に６つの開口を有する６孔絞り１５、６分割プリズム１６、リレーレンズ１７、ＣＣＤカメラなどの撮像素子１８を配置し、眼屈折力測定用対物レンズ２から撮像素子１８により眼屈折力測定受光系を構成する。
【００１１】
更に、被検眼Ｅの前眼部を照明するために、波長が眼屈折力測定光源７よりも数１０ｎｍ短い近赤外光を発するＬＥＤなどの前眼部照明光源１９を、被検眼Ｅとダイクロイックミラー１との間の光軸外の位置に配置し、前眼部観察系を構成する。
【００１２】
ここで、ダイクロイックミラー１は眼屈折力測定光源７が発する波長の光の大部分を透過すると共に一部を反射し、また前眼部照明光源１９から発した波長の光を反射する特性を有し、ダイクロイックミラー９は可視光を透過し、近赤外光を反射する特性を有している。また、３孔絞り板１２に接着されているくさびプリズム１１ａ、１１ｂは眼屈折力測定光源７が発する波長の光を透過し、前眼部照明光源１９が発した波長の光を反射する特性の多層膜を蒸着し、くさびプリズム１１ａは３孔絞り板１２の開口部１２ａを通過する光を紙面に対し奥の方向に、くさびプリズム１１ｂは３孔絞り板１２の開口部１２ｂを通過する光を紙面に対し手前の方向に偏向する役割を持っている。
【００１３】
また、前述の眼屈折力測定光投影系、固視標投影系、眼屈折力測定受光系、前眼部観察系などにより、図３に示す被検眼検査部４１を構成している。
【００１４】
そして、撮像素子１４、１８の出力は、それぞれの撮像素子駆動回路２０、２１を介して映像信号としてＡ／Ｄコンバータ２２、２３に接続し、これらの出力はそれぞれ画像メモリ制御回路２４に接続する。画像メモリ制御回路２４は、表示用ビットマップメモリ２５、画像メモリ２６、バスライン２７に接続し、表示用ビットマップメモリ２５の出力は画像合成回路２８に接続し、画像合成回路２８はＣＲＴモニタ２９に接続する。なお、撮像素子駆動回路２０の出力は画像合成回路２８にも接続する。
【００１５】
バスライン２７には演算処理回路３０、入出力装置３１を接続し、演算処理回路３０はＭＰＵ３３、プログラムＲＯＭ３４、ＲＡＭ３５により構成する。入出力装置３１は操作者が装置を操作するための操作スイッチ４３、被検眼検査部４１を上下左右に操作するためのトラックボール４４、被検眼検査部４１を前後に操作するためのローラー４５、待機時間解除スイッチ４６を含む操作部３６、モータなどの駆動手段により電気的に被検眼検査部４１をそれぞれ前後、上下、左右に可動するための可動台制御部３７、３８、３９に接続される。また待機状態解除スイッチ４６には、図示されていない待機状態であることを示すインジケータランプが組み込まれている。
【００１６】
なお図示は省略しているが、演算処理回路３０の出力は眼屈折力測定光源７、前眼部照明光源１９に接続され、光源の制御を行う。
【００１７】
被検眼検査部４１は固定部４２上に載置し、可動台制御部３７、３８、３９を介して電動モータにより被検眼検査部を前後、上下、左右方向に移動することができる。なお、固定部４２には操作スイッチ４３、被検眼検査部４１を上下左右方向に移動させるためのトラックボール４４、被検眼検査部４１を前後に移動されるためのローラー４５、及び非検眼を観察するためのＣＲＴモニタ２９を配置している。
【００１８】
また、被検眼検査部４１の非検眼付近に、待機時間解除スイッチ４６を設けている。
【００１９】
被検眼Ｅは前眼部照明光源１９により照明され、前眼部周辺からの反射散乱光はダイクロイックミラー１で反射し、前眼部観察用対物レンズ８により略平行光とされ、ダイクロイックミラー９を反射し、３孔絞り板１２の開口部１２ｃを通り、結像レンズ１３により撮像素子１４上に結像する。撮像素子１４からの信号は撮像素子駆動回路２０により映像信号として出力され、画像合成回路２８により表示用ビットマップメモリ２５に書かれているアライメントのための視標等の画像と合成され、ＣＲＴモニタ２９上に前眼部像Ｅ’が映し出される。
【００２０】
先ず、被検者が図示しない顔支持部材に顎を乗せ顔が固定されると、検者は操作部３６の操作スイッチ４３を押す。なお、被検眼検査部４１は非検眼右眼の所定の位置にあるとする。すると、演算処理回路３０は前眼部照明光源１９を点灯し、被検眼Ｅの前眼部周辺を照明する。この前眼部周辺からの反射散乱光はダイクロイックミラー１で反射され、前眼部観察用対物レンズ８、ダイクロイックミラー９、３孔絞り１２の開口部１２ｃ、結像レンズ１３を介して撮像素子１４上に結像する。撮像素子１４からの映像信号はＡ／Ｄコンバータ２２でデジタル信号化され、画像メモリ制御回路２４により画像メモリ２６に記憶される。演算処理回路３０は画像メモリ２６に記憶された画像から被検眼Ｅの瞳孔位置を抽出し、瞳孔の略中心が被検眼検査部４１の光軸と一致するように、被検眼検査部４１を可動台制御部３７、３８、３９により移動する。
【００２１】
図１０は被検眼検査部４１を瞳孔の略中心が被検眼検査部４１の光軸と一致するように移動した後のモニタ２９の様子である。この状態で、被検眼の状態を確認するために、次の動作まで所定時間の待機状態となる。
【００２２】
図１１は、この時に瞼がかかっている様子を示している。このような場合、次の測定動作を行ってしまうと、測定不良となったり、信頼性の低い測定値を出してしまうことになる。
【００２３】
この待機状態に、モニタ２９により被検眼の状態を確認し、図１１のような場合、必要に応じて開眼を促したり、検者が瞼を上げる介助などを行う。
【００２４】
この後、所定時間が経過すると、自動的に次の動作に移る。また図１０、１１のモニタ２９の右上には待機状態の残り時間を表示している。また、被検眼検査部４１の被検眼近くに、待機状態解除スイッチ４６を設けてあり、検者が瞼を上げる介助などを行った場合に、すぐに測定動作に移れ、またその操作がやりやすいように配慮されている。また待機状態解除スイッチ４６には、待機状態であることを示すインジケータランプが組み込まれ、検者が瞼を上げる介助時にモニタ２９を覗き込む必要がない。なお、待機状態解除は操作部３６のスイッチでも可能である。
【００２５】
次に、演算処理回路３０は眼屈折測定光源７を僅かに点灯する。眼屈折測定光源７を射出した光束は指標板６を照明し、指標板６からの光束は投影レンズ５、投影絞り４、孔あきミラー３の孔部、眼屈折測定用対物レンズ２を介して略平行光とされた後に、大部分の光束がダイクロイックミラー１を透過して、被検眼Ｅの角膜Ｅｃにより反射像を形成する。
【００２６】
角膜Ｅｃで反射された光束は、ダイクロイックミラー１で一部が反射され、前眼部観察用対物レンズ８で集光され、ダイクロイックミラー９で反射され、３孔絞り板１２の３つの開口部１２ａ、１２ｂ、１２ｃを通過して３つの光束Ｌａ、Ｌｂ、Ｌｃに分割され、結像レンズ１３を介して撮像素子１４上に達し、それぞれ指標像Ｐａ、Ｐｂ、Ｐｃを形成する。
【００２７】
ここで、図４〜図９を用いて、被検眼Ｅと被検眼検査部４１との相対的な位置を検出する原理について説明すると、前述したようにくさびプリズム１１ａは３孔絞り板１２の開口部１２ａを通過する光Ｌａを紙面に対し奥の方向に、くさびプリズム１１ｂは開口部１２ｂを通過する光Ｌｂを紙面に対し手前の方向に偏向する役割を果している。従って、被検眼Ｅと被検眼検査部４１との作動距離が正しい場合には、被検眼Ｅの角膜Ｅｃで反射された指標板６からの光束は、前眼部観察用対物レンズ８により略平行光とされるので、図４及び図７に示すように、ＣＲＴモニタ２９上に映し出された指標像Ｐａ、Ｐｂ、Ｐｃは水平方向に直線状に並び、指標像Ｐｃは被検眼Ｅの角膜頂点位置を示している。
【００２８】
被検眼Ｅと被検眼測定部４１との距離が正しい作動距離よりも近い場合には、角膜Ｅｃで反射された指標板６からの光束は前眼部観察用対物レンズ８により拡散光とされるので、図５及び図８に示すように、ＣＲＴモニタ２９に映し出された指標像Ｐａ、Ｐｂ、Ｐｃは、指標像Ｐａが指標像Ｐｃよりも上方に、指標像Ｐｂが指標像Ｐｃよりも下方に直線状に並び、同様に指標像Ｐｃは角膜頂点位置に現れる。
【００２９】
更に、被検眼Ｅと被検眼検査部４１との距離が正しい作動距離よりも遠い場合には、角膜Ｅｃで反射された指標板６からの光束は、前眼部観察用対物レンズ８により収束光とされるので、図６及び図９に示すようにＣＲＴモニタ２９に映し出された指標像Ｐａ、Ｐｂ、Ｐｃは、３１ａが指標像Ｐｃよりも下方に、指標像Ｐｂが指標像Ｐｃよりも上方に直線状に並び、同様に指標像Ｐｃは角膜頂点位置に現れる。
【００３０】
従って、検者はＣＲＴモニタ２９に映し出された指標像Ｐａ、Ｐｂ、Ｐｃの位置関係から、被検眼Ｅと被検眼検査部４１との相対的な位置を知り、被検眼検出部４１を動かして精密な位置合わせを行うことができる。
【００３１】
撮像素子１４からの映像信号はＡ／Ｄコンバータ２２でデジタル信号化され、画像メモリ制御回路２４により画像メモリ２６に記憶される。演算処理回路３０は画像メモリ２６に記憶された画像から被検眼Ｅの指標像Ｐａ、Ｐｂ、Ｐｃを抽出し、指標像Ｐｃが被検眼検査部４１の光軸と一致するように被検眼検査部４１を可動台制御部３７、３８、３９により制御する。
【００３２】
位置合わせが終了すると、演算処理回路３０は眼屈折力測定光源７を発光させる。眼屈折力測定光源７から射出した光束は指標板６を通り、前述したと同様に被検眼Ｅに達し、眼底Ｅｒに指標像６’として結像する。そして、指標像６’を２次光源として反射、散乱した光は、大部分がダイクロイックミラー１を透過し、眼屈折力測定用対物レンズ２を介して孔あきミラー３により反射され、６孔絞り１５により６つの光束に分割された後に、６分割プリズム１６、リレーレンズ１７を介して撮像素子１８上に６つのスポット像を形成する。
【００３３】
この映像信号はＡ／Ｄコンバータ２３でデジタル信号化され、画像メモリ制御回路２４により画像メモリ２６に記憶される。演算処理回路３０は画像メモリ２６に記憶された情報から被検眼Ｅの眼屈折力を算出し、光路Ｏ２上に設けた図示されていない固視標投影系を制御し被検者に雲霧を促す。この動作を自動的に数回行い、調節のない雲霧状態の被検眼Ｅの屈折力を測定を行い、被検眼右眼の屈折力の測定を終了する。
【００３４】
被検眼右眼の測定を終了したら、続いて被検眼検査部４１を所定量被検眼左眼に移動する。以後、上述の操作部３６の操作スイッチ４３を押した後と同様の動作を自動的に行い、被検眼左眼の測定を行い、被検眼両眼の測定を終了する。
【００３５】
本発明の第２の実施例を図示の形態に基づいて詳細に説明する。
【００３６】
先ず、被検者が図示しない顔支持部材に顎を乗せ顔が固定されると、検者は操作部３６の操作スイッチ４３を押す。なお、被検眼検査部４１は非検眼右眼の所定の位置にあるとする。すると、演算処理回路３０は前眼部照明光源１９を点灯し、被検眼Ｅの前眼部周辺を照明する。この前眼部周辺からの反射散乱光はダイクロイックミラー１で反射され、前眼部観察用対物レンズ８、ダイクロイックミラー９、３孔絞り１２の開口部１２ｃ、結像レンズ１３を介して撮像素子１４上に結像する。撮像素子１４からの映像信号はＡ／Ｄコンバータ２２でデジタル信号化され、画像メモリ制御回路２４により画像メモリ２６に記憶される。演算処理回路３０は画像メモリ２６に記憶された画像から被検眼Ｅの瞳孔位置を抽出し、瞳孔の略中心が被検眼検査部４１の光軸と一致するように、被検眼検査部４１を可動台制御部３７、３８、３９により移動する。
【００３７】
次に、演算処理回路３０は眼屈折測定光源７を僅かに点灯する。眼屈折測定光源７を射出した光束は指標板６を照明し、指標板６からの光束は投影レンズ５、投影絞り４、孔あきミラー３の孔部、眼屈折測定用対物レンズ２を介して略平行光とされた後に、大部分の光束がダイクロイックミラー１を透過して、被検眼Ｅの角膜Ｅｃにより反射像を形成する。
【００３８】
角膜Ｅｃで反射された光束は、ダイクロイックミラー１で一部が反射され、前眼部観察用対物レンズ８で集光され、ダイクロイックミラー９で反射され、３孔絞り板１２の３つの開口部１２ａ、１２ｂ、１２ｃを通過して３つの光束Ｌａ、Ｌｂ、Ｌｃに分割され、結像レンズ１３を介して撮像素子１４上に達し、それぞれ指標像Ｐａ、Ｐｂ、Ｐｃを形成する。
【００３９】
撮像素子１４からの映像信号はＡ／Ｄコンバータ２２でデジタル信号化され、画像メモリ制御回路２４により画像メモリ２６に記憶される。演算処理回路３０は画像メモリ２６に記憶された画像から被検眼Ｅの指標像Ｐａ、Ｐｂ、Ｐｃを抽出し、指標像Ｐｃが被検眼検査部４１の光軸と一致するように被検眼検査部４１を可動台制御部３７、３８、３９により制御される。
【００４０】
図１２は被検眼検査部４１を指標像Ｐｃが被検眼検査部４１の光軸と一致するように移動した後のモニタ２９の様子である。この状態で、被検眼の状態を確認するために、次の動作まで所定時間の待機状態となる。
【００４１】
図１３は、指標像Ｐｃと瞳孔の中心がずれている状態を示している。この時に瞳孔径が小さいと、測定光束が瞳孔によってケラれ、測定不良となったり、信頼性の低い測定値を出してしまうことになる。
【００４２】
この待機状態に、モニタ２９により被検眼の状態を確認し、図１３のような場合に、必要に応じてトラックボール４４を操作して図１４のように指標像Ｐｃを測定光軸から、トラックボール４４で指定した量だけ位置を移動することにより、瞳孔での測定光束のケラレを回避することができる。
【００４３】
この後、所定時間が経過すると、自動的に次の動作に移る。また図１２、１３のモニタ２９の右上には待機状態の残り時間を表示している。また、被検眼検査部４１の被検眼近くに、待機状態解除スイッチ４６を設けてあり、検者が瞼を上げる介助などを行った場合に、すぐに測定動作に移れ、またその操作がやりやすいように配慮されている。また待機状態解除スイッチ４６には、待機状態であることを示すインジケータランプが組み込まれ、検者が瞼を上げる介助時にモニタ２９を覗き込む必要がない。なお、待機状態解除は操作部３６のスイッチでも可能である。
【００４４】
位置合わせが終了すると、演算処理回路３０は眼屈折力測定光源７を発光させる。眼屈折力測定光源７から射出した光束は指標板６を通り、前述したと同様に被検眼Ｅに達し、眼底Ｅｒに指標像６’として結像する。そして、指標像６’を２次光源として反射、散乱した光は、大部分がダイクロイックミラー１を透過し、眼屈折力測定用対物レンズ２を介して孔あきミラー３により反射され、６孔絞り１５により６つの光束に分割された後に、６分割プリズム１６、リレーレンズ１７を介して撮像素子１８上に６つのスポット像を形成する。
【００４５】
この映像信号はＡ／Ｄコンバータ２３でデジタル信号化され、画像メモリ制御回路２４により画像メモリ２６に記憶される。演算処理回路３０は画像メモリ２６に記憶された情報から被検眼Ｅの眼屈折力を算出し、光路Ｏ２上に設けた図示されていない固視標投影系を制御し被検者に雲霧を促す。この動作を自動的に数回行い、調節のない雲霧状態の被検眼Ｅの屈折力を測定を行い、被検眼右眼の屈折力の測定を終了する。
【００４６】
被検眼右眼の測定を終了したら、続いて被検眼検査部４１を所定量被検眼左眼に移動する。以後、上述の操作部３６の操作スイッチ４３を押した後と同様の動作を自動的に行い、被検眼左眼の測定を行い、被検眼両眼の測定を終了する。
【００４７】
なお、第１の実施例、第２の実施例とも測定待機状態解除スイッチ４６の待機状態であることを示すインジケータランプは、待機状態の残り時間を表示するための数字表示器としてもよい。
【００４８】
なお、本実施例は、眼屈折力測定装置であるが、同様に眼圧計や眼底カメラに応用も容易である。
【図面の簡単な説明】
【００４９】
【図１】本実施の形態の光学系、電気系の構成図である。
【図２】３孔絞り板の正面図である。
【図３】眼科検査装置の概略図である。
【図４】正しい作動距離のときの指標光束の説明図である。
【図５】作動距離が近いときの指標光束の説明図である。
【図６】作動距離が遠いときの指標光束の説明図である。
【図７】正しい作動距離のときの前眼部像の説明図である。
【図８】作動距離が近いときの前眼部像の説明図である。
【図９】作動距離が遠いときの前眼部像の説明図である。
【図１０】待機状態の前眼部像の説明図である。
【図１１】待機状態の瞼がかかっている前眼部像の説明図である。
【図１２】実施例２の待機状態の前眼部像の説明図である。
【図１３】待機状態で瞳孔位置と視標像がすれている前眼部像の説明図である。
【図１４】待機状態で視標像を光軸からずらした前眼部像の説明図である。
【符号の説明】
【００５０】
１  ダイクロイックミラー
２  眼屈折力測定用対物レンズ
３  孔あきミラー
６  指標板
７  眼屈折力測定光源
８  前眼部観察用対物レンズ
９  ダイクロイックミラー
１２  ３孔絞り板
１３  結像レンズ
１４  撮像素子
１８  撮像素子
１９  前眼部照明光源
２０、２１  撮像素子駆動回路
２２、２３  Ａ／Ｄコンバータ
２４  画像メモリ制御回路
２５  表示用ビットマップメモリ
２６  画像メモリ
２８  画像合成回路
２９  ＣＲＴモニタ
３０  演算処理部
３１  入出力装置
３３  ＭＰＵ
３４  プログラムＲＯＭ
３５  ＲＡＭ
３６  操作部
３６，３８，３９  可動台制御部
４１  被検眼検査部
４２  固定部
４３  操作スイッチ
４４  トラックボール
４５  ローラー
４６  待機状態解除スイッチ
【図１】
2005176971.tif 000003
【図２】
2005176971.tif 000004
【図３】
2005176971.tif 000005
【図４】
2005176971.tif 000006
【図５】
2005176971.tif 000007
【図６】
2005176971.tif 000008
【図７】
2005176971.tif 000009
【図８】
2005176971.tif 000010
【図９】
2005176971.tif 000011
【図１０】
2005176971.tif 000012
【図１１】
2005176971.tif 000013
【図１２】
2005176971.tif 000014
【図１３】
2005176971.tif 000015
【図１４】
2005176971.tif 000016